(57)【要約】【課題】一時苗抜き後の苗を収容したプラグトレーを撓ませることなく、かつ、壊すことなく苗抜き作業を完了することができる苗抜き方法を提供する。【解決手段】受板５とプラグトレー３との間に介在し、このプラグトレー３の外縁部３ｄだけを受けるトレー持ち上げ板１とを用い、このトレー持ち上げ板１で、プラグトレー３を持ち上げることで、一時各育苗プラグ３ａから抜き出された各苗Ｎを各育苗プラグ３ａに再収容させながら、持ち上げる工程を備えた。【選択図】図８
2008099580.tif 000002
【特許請求の範囲】
【請求項１】
縦横に配列された育苗プラグを連結したプラグトレーの各育苗プラグで育苗された苗を抜き出すための苗抜き方法であって、
前記プラグトレーの各育苗プラグに対応するように苗抜き棒を立設させた受板と、前記プラグトレーの表面側の各育苗プラグの連結部分の適所を上から押さえる押さえ棒を立設させた押さえ板と、前記受板と前記プラグトレーとの間に介在し、このプラグトレーの外縁部だけを受けるトレー持ち上げ板とを用い、
前記受板に前記トレー持ち上げ板を設置する工程と、
各苗抜き棒上に前記プラグトレーの各育苗プラグの底孔が対応するように育苗完了状態のプラグトレーを載せる工程と、
前記押さえ板の押さえ棒でこの状態のプラグトレーの上面を押さえつけることで、各育苗プラグ内の苗が各苗抜き棒に支えられた状態で、該プラグトレーだけを前記受板側に押し下げる工程と、
こうして前記プラグトレーの外縁部が前記トレー持ち上げ板に近接するようになった状態で、該トレー持ち上げ板で、該プラグトレーを持ち上げることで、一時各育苗プラグから抜き出された各苗を各育苗プラグに再収容させながら、持ち上げる工程とを備えたことを特徴とする苗抜き方法。
【請求項２】
請求項１記載の苗抜き方法において用いられるトレー持ち上げ板であって、
受板とプレグトレーとの間に介在し、このプラグトレーの外縁部だけを受ける枠体として構成されていることを特徴とするトレー持ち上げ板。
【発明の詳細な説明】
【技術分野】
【０００１】
本発明は、縦横に配列された育苗プラグを連結したプラグトレーの各育苗プラグで育苗された苗を抜き出すための苗抜き方法及びこの方法に用いるトレー持ち上げ板に関する。
【背景技術】
【０００２】
縦横に配列された育苗プラグを連結したプラグトレーは、面積効率良く育苗するために用いられるが、所定期間の育苗が済んだ後には、各育苗プラグに収容され、育苗が済んだ苗を、その育苗プラグ内の土と根が絡まり合った土の塊（以後、「土塊」という。）と共に抜き出す苗抜き作業が必要となる。
【０００３】
ところが、育苗の過程で、育苗プラグ内の土塊は、この育苗プラグの内壁面に緊密に接触した状態となり、この状態の苗をその土塊と共に、プラグトレーの上方から取り出すには、育苗プラグ内の土塊とプラグ内壁面との緊密接触状態をヘラなどで分離してやるか、この土塊部分に抜き出し工具を差し込んで抜き出すなどの作業を一個一個の育苗プラグ毎にする必要があり、非常に手間のかかるものであった。
【０００４】
この問題を解決するものとして、プラグトレーの各育苗プラグに対応するように苗抜き棒を立設させた受板と、プラグトレーの表面側の各育苗プラグの連結部分の適所を上から押さえる押さえ棒を立設させた押さえ板とを用いる苗抜き方法が提案されている。
【０００５】
この方法は、受板の苗抜き棒の上に、各育苗プラグの底孔が対応するように育苗完了状態のプラグトレーを載せ、押さえ板の押さえ棒でこの状態のプラグトレーの上面を押さえつけることで、各育苗プラグ内の苗が各苗抜き棒に支えられた状態で、プラグトレーだけを押し下げるものである。
【０００６】
その後、プラグトレーを手で持ち上げると、一時各育苗プラグから抜き出された各苗を再び元の育苗プラグに収容した状態で、共に持ち上げることができる。この状態のプラグトレーを別の平坦な場所において、各苗を抜き出すようにすると、別個の道具を使うことなく簡単に苗抜きをすることができる。
【０００７】
しかしながら、上記の苗抜き方法では、一時苗抜きが済んだ各苗を収容した状態のプラグトレーを手で持ち上げる際に、全体の重量のため、プラグトレーが大きく撓み、苗同士が接触して損傷したり、また、プラグトレーが壊れて再使用ができない、という問題が発生していた。
【０００８】
なお、苗抜きをする前の育苗完了状態のプラグトレーにおいては、上述した各育苗プラグ内の土塊とプラグ内壁面との緊密接触状態により、収容された苗とプラグトレー全体が一つの構造体を構成しており、この状態のプラグトレーについては、手で持ち上げたりしても、上記のような問題は生じていない。
【発明の開示】
【発明が解決しようとする課題】
【０００９】
本発明は、上記問題を解決しようとするもので、一時苗抜き後の苗を収容したプラグトレーを撓ませることなく、かつ、壊すことなく苗抜き作業を完了することができる苗抜き方法及びこの方法に用いるトレー持ち上げ板を提供することを目的としている。
【課題を解決するための手段】
【００１０】
請求項１記載の苗抜き方法は、縦横に配列された育苗プラグを連結したプラグトレーの各育苗プラグで育苗された苗を抜き出すための苗抜き方法であって、
前記プラグトレーの各育苗プラグに対応するように苗抜き棒を立設させた受板と、前記プラグトレーの表面側の各育苗プラグの連結部分の適所を上から押さえる押さえ棒を立設させた押さえ板と、前記受板と前記プラグトレーとの間に介在し、このプラグトレーの外縁部だけを受けるトレー持ち上げ板とを用い、
前記受板に前記トレー持ち上げ板を設置する工程と、各苗抜き棒上に前記プラグトレーの各育苗プラグの底孔が対応するように育苗完了状態のプラグトレーを載せる工程と、前記押さえ板の押さえ棒でこの状態のプラグトレーの上面を押さえつけることで、各育苗プラグ内の苗が各苗抜き棒に支えられた状態で、該プラグトレーだけを前記受板側に押し下げる工程と、こうして前記プラグトレーの外縁部が前記トレー持ち上げ板に近接するようになった状態で、該トレー持ち上げ板で、該プラグトレーを持ち上げることで、一旦各育苗プラグから抜き出された各苗を各育苗プラグに再収容させながら、持ち上げる工程とを備えたことを特徴とする。
【００１１】
請求項２記載のトレー持ち上げ板は、請求項１記載の苗抜き方法において用いられるトレー持ち上げ板であって、受板とプレグトレーとの間に介在し、このプラグトレーの外縁部だけを受ける枠体として構成されていることを特徴とする。
【発明の効果】
【００１２】
請求項１記載の苗抜き方法によれば、縦横に配列された育苗プラグを連結したプラグトレーの各育苗プラグで育苗された苗を抜き出すための苗抜き方法であって、
受板とプラグトレーとの間に介在し、このプラグトレーの外縁部だけを受けるトレー持ち上げ板とを用い、このトレー持ち上げ板で、該プラグトレーを持ち上げることで、一時各育苗プラグから抜き出された各苗を各育苗プラグに再収容させながら、持ち上げる工程を備えたので、一時苗抜き後の苗を収容したプラグトレーを撓ませることなく、かつ、壊すことなく苗抜き作業を完了することができる。
【００１３】
請求項２記載のトレー持ち上げ板によれば、請求項１記載の苗抜き方法において用いられるトレー持ち上げ板であって、受板とプレグトレーとの間に介在し、このプラグトレーの外縁部だけを受ける枠体として構成されているので、請求項１の苗抜き方法の効果を、トレー持ち上げ板として発揮することができる。
【発明を実施するための最良の形態】
【００１４】
以下に、本発明の実施の形態（実施例）について、図面を用いて説明する。
【００１５】
図１は、本発明の苗抜き方法に用いるトレー持ち上げ板の一例を示すもので、（ａ）はその平面図、（ｂ）はその縦断面図、（ｃ）はその外観斜視図である。
【００１６】
本発明の苗抜き方法は、縦横に配列された育苗プラグを連結したプラグトレーの各育苗プラグで育苗された苗を抜き出すためものであるが、この図１に示すトレー持ち上げ板１を用いることを特徴とし、以下、図２で説明するプラグトレー３を苗抜きの対象とし、また、図３で説明する受板、図４で説明する押さえ板を併せて用いるものである。
【００１７】
このトレー持ち上げ板１は、受板５とプラグトレー３との間に介在し、このプラグトレー５の外縁部３ｄだけを受ける枠体１ａと、この枠体１ａの適所に設けられた取っ手１ｂとを備えている。
【００１８】
枠体１ａは矩形の枠形状体であって、その枠体１ａで囲まれた空間部分に、プラグトレー３の縦横に連結された育苗プラグ３ａ部分を収容し、その状態で、プラグトレー３の外縁部３ｄだけを受け止めるものである。
【００１９】
取っ手１ｂは、この例では、矩形形状の枠体１ａの短辺部分のほぼ中央に設けられ、人の手で、苗を収容したプラグトレー３と共に、トレー持ち上げ板１を持ち上げ可能とするためのものである。
【００２０】
ここで、この取っ手１ｂの枠体１ａからの立ち上がり長さＬが、通常、取っ手としての機能を果たすべき長さ（例えば、取っ手１ｂの水平部分を支障なく掴める程度の長さ）より長くなっているが、その作用効果については、追って、図６（ｂ）を用いて説明する。
【００２１】
図２は、本発明の苗抜き方法を用いる対象の一例であるプラグトレーを示す平面図であり、図３（ａ）は、図２のプラグトレーの長手方向縦断面図、（ｂ）は（ａ）の要部拡大断面図、（ｃ）は図２のプラグトレーの短辺方向の要部縦拡大断面図である。
【００２２】
このプラグトレー３は、育苗用の育苗プラグ３ａを縦横に配列し（この例では、横に１０個、縦に２０個で合計２００個）、この上辺部分を連結部３ｃで連結し、その連結部３ｃの全体としての外縁を外縁部３ｄとしたものである。図１のトレー持ち上げ板１の枠体１ａは、この外縁部３ｄの下面を受けるものである。
【００２３】
外縁部３ｄは、傾斜面を備えた傾斜スカート構造となっており、長辺側の傾斜面には、補強のための補強リブ３ｅ、短辺側の傾斜面には補強のための補強凹部３ｆが設けられている。このため、枠体１ａにより外縁部３ｄの下面全体でプラグトレー３を受けた場合により強固にプラグトレー３を受け止めることができる。
【００２４】
それぞれの育苗プラグ３ａの底面には底孔３ｂが設けられている。この底孔３ｂは、育苗時の水はけを良くするものであると同時に、本発明の苗抜き方法では、一時苗抜きのための苗抜き棒５ｂ（図４参照）を貫通させるものである。
【００２５】
図４は、本発明の苗抜き方法に用いる受板の一例を示すもので、（ａ）はその外観斜視図、（ｂ）はその側面図である。
【００２６】
この受板５は、平板状の受板本体５ａに、苗抜きの対象とするプラグトレー３の各育苗プラグ３ａに対応させて苗抜き棒５ａを立設させたものである。受板５はまた、苗抜きの対象とするプラグトレー３の一辺をガイドするガイド板５ｃと、このガイド板５ｃのある辺に隣接する両辺縁部分に設けられた両側板５ｄ、５ｅとを備えている。
【００２７】
各苗抜き棒５ａは苗抜きの対象とする各育苗プラグ３ａの底孔３ｂに嵌まり込むように配置されている。
【００２８】
図５は、本発明の苗抜き方法に用いる押さえ板の一例を示すもので、（ａ）はその外観斜視図、（ｂ）はその側面図である。
【００２９】
押さえ板７は、平板状の押さえ板本体７ａに、苗抜きの対象とするプラグトレー３の表面側の各育苗プラグ３ａの連結部分３ｃの適所を上から押さえる押さえ棒７ｂを複数本立設させたものである。
【００３０】
この押さえ棒７ｂは、各育苗プラグ３ａの連結部分３ｃを押さえ、育苗された苗の生育高さより十分長い長さを持っているので、これでプラグトレー３を押さえても、各育苗プラグ３ａに収容された苗に悪影響を与えるものではない。
【００３１】
図６（ａ）、（ｂ）は本発明の苗抜き方法の工程を順に示す図、図７は、本発明の苗抜き方法の工程を順に示す図、図８（ａ）、（ｂ）は本発明の苗抜き方法の工程を順に示す図である。なお、これよりすでに説明した部分には同じ符号を付して重複説明を省略する。
【００３２】
図６（ａ）：まず、受板５を苗抜き棒５ｂが上を向くように作業場所に置き、その上から、トレー持ち上げ板１を、取っ手１ｂが上を向くように、かつ、枠体１ａで形成される空間に受板５の縦横に配列された苗抜き棒５ｂが収容されるように置く。
【００３３】
図６（ｂ）：ついで、受板５の各苗抜き棒５ｂ上に各育苗プラグ３ａの底孔３ｂが対応するように育苗完了状態のプラグトレー３を載せる。ここで、符号Ｎは、土と根が絡まり合った土塊Ｎａを備えた、育苗完了状態の苗を示す。
【００３４】
ここで、図に示すように、トレー持ち上げ板１の取っ手１ｂの長さＬが十分に長く、プラグトレー３の各育苗プラグ３ａの底下面が、受板５の各苗抜き棒５ｂに接する前に、プラグトレー３の外縁部３ｄが左右の取っ手１ｂの間に接触しながら挟まれる状態となっている。
【００３５】
つまり、プラグトレー３の外縁部３ｓが取っ手１ｂの間に接触するようにセットすれば、受板５の各苗抜き棒５ｂが対応した各育苗プラグ３ａの底孔３ｂの位置にくるようにできるのである。したがって、このような長さＬの取っ手１ｂによれば、位置合わせが容易である。
【００３６】
なお、取っ手１ｂ間の方向とは直交する方向の位置合わせは、受板５のガイド板５ｃで行うことができる。
【００３７】
図７：次に、こうして受板３に設置されたプラグトレー３の上方から、押さえ板７を、押さえ棒７ｂがプラグトレー３の連結部３ｃの適所を押さえるように位置決めして、載せる。
【００３８】
図８（ａ）：押さえ板７の押さえ棒７ｂがプラグトレー３の連結部３ｃの適所に当接している状態で、押さえ板７を押し下げると、各育苗プラグ３ａ内の各苗Ｎは、受板５の各苗抜き棒５ｂに下支えされているので、プラグトレー３だけが下方に押し下げられ、各苗Ｎは、各育苗プラグ３ａから離脱して、一時苗抜きされた状態となる。
【００３９】
この際、プグトレー３の外縁部３ｄの下面は、トレー持ち上げ板１の枠体１ａにより近接した状態（あるいは、当接した状態）となっている。
【００４０】
図８（ｂ）：次に、取っ手１ｂを掴んでトレー持ち上げ板１を上方に持ち上げると、その枠体１ａは、プラグトレー３の外縁部３ｄの下面に当接して、このプラグトレー３を持ち上げ、更に、一時苗抜きされた各苗Ｎもその土塊Ｎａを各育苗プラグ３ａに再収容した状態で共に持ち上げる。
【００４１】
この際、トレー持ち上げ板１の枠体１ａは、プラグトレー３の外縁部３ｄの下面を、外縁部３ｄの全周に渡って受け止めるので、プラグトレー３が収容した苗Ｎの重さで撓むことがなく、苗Ｎの損傷も発生せず、プラグトレー３が壊れるようなこともない。
【００４２】
つまり、本発明の、トレー持ち上げ板を用いた苗抜き方法によれば、一時苗抜き後の苗を収容したプラグトレーを撓ませることなく、かつ、壊すことなく苗抜き作業を完了することができる。
【００４３】
また、この苗抜き方法に用いるトレー持ち上げ板によれば、上記苗抜き方法の効果を、トレー持ち上げ板として発揮することができる。
【００４４】
なお、本発明の苗抜き方法及びこの方法に用いるトレー持ち上げ板は、上記の実施の態様に限定されず、特許請求の範囲に記載された範囲、態様例の範囲で、種々の変形例、組み合わせが可能である。
【００４５】
例えば、ここで説明したトレー持ち上げ板の枠体に、プラグトレーの外縁部ではなく、各育苗プラグ間の連結部の下面を受けるような桟を設けるようにしてもよい。その場合、この桟は、各育苗プラグ間の隙間に入り込み、配列された育苗プラグの位置決め機能をも発揮することができるものである。
【００４６】
そして、このような桟を設けた場合には、上述した取っ手とガイド板によるプラグトレーの位置決めも不要とすることができる場合がある。
【産業上の利用可能性】
【００４７】
本発明の苗抜き方法及びこの方法に用いるトレー持ち上げ板は、一時苗抜き後の苗を収容したプラグトレーを撓ませることなく、かつ、壊すことなく苗抜き作業を完了することが要請される産業分野に用いることができる。
【図面の簡単な説明】
【００４８】
【図１】本発明の苗抜き方法に用いるトレー持ち上げ板の一例を示すもので、（ａ）はその平面図、（ｂ）はその縦断面図、（ｃ）はその外観斜視図
【図２】本発明の苗抜き方法を用いる対象の一例であるプラグトレーを示す平面図
【図３】（ａ）は、図２のプラグトレーの長手方向縦断面図、（ｂ）は（ａ）の要部拡大断面図、（ｃ）は図２のプラグトレーの短辺方向の要部縦拡大断面図
【図４】本発明の苗抜き方法に用いる受板の一例を示すもので、（ａ）はその外観斜視図、（ｂ）はその側面図
【図５】本発明の苗抜き方法に用いる押さえ板の一例を示すもので、（ａ）はその外観斜視図、（ｂ）はその側面図
【図６】（ａ）、（ｂ）は本発明の苗抜き方法の工程を順に示す図
【図７】本発明の苗抜き方法の工程を順に示す図
【図８】（ａ）、（ｂ）は本発明の苗抜き方法の工程を順に示す図
【符号の説明】
【００４９】
１          トレー持ち上げ板
１ａ        枠体
１ｂ        取っ手
３          プラグトレー
３ａ        育苗プラグ
３ｂ        底孔
３ｃ        連結部    
３ｄ        外縁部
５          受板
５ａ        受板本体
５ｂ        苗抜き棒
７          押さえ板
７ａ        押さえ板本体
７ｂ        押さえ棒
Ｎ          苗
Ｎａ        土塊
【図１】
2008099580.tif 000003
【図２】
2008099580.tif 000004
【図３】
2008099580.tif 000005
【図４】
2008099580.tif 000006
【図５】
2008099580.tif 000007
【図６】
2008099580.tif 000008
【図７】
2008099580.tif 000009
【図８】
2008099580.tif 000010